(57)【要約】【課題】  電柱などに設置が可能で組み立てやすく、ゴミの排出が簡単で折りたたみ時にコンパクトに収まり、カラスにゴミを散らかされ難いゴミ収集容器を提供する。【解決手段】  下部の開放部周囲を廻る縛り索１８を有する筒状ネット１６が装着された楕円リング１と円柱４が回動可能に接続され、楕円リング１には蓋２６がヒンジにより接続され、折りたたみ時には楕円リング１及び蓋２６が円柱４外面に沿い、展開時には楕円リング１及び蓋２６が広がる事を特徴とする。【選択図】図１０
2011016653.tif 000002
【特許請求の範囲】
【請求項１】
直径が可変の弾性を持つ楕円リングと、楕円リングの内側にある円柱において、楕円リングの最大の直径がその円弧内側と交わる一方の点で、円柱の接線方向の軸を有する支点を介して楕円リングは円柱に上下に回動可能に接続されて、楕円リングの最大の直径と円柱の中心軸とがなす角度が小さい時、楕円リングの内側が円柱の外側面に沿い、楕円リングの最大の直径と円柱の中心軸とがなす角度が直角に近付くにつれて、楕円リングの最大の直径が短くなる事を特徴とする折りたたみゴミ収集容器のフレーム。
【請求項２】
請求項１の発明の楕円リングに一方の開放部周囲が取り付けられ、他方の開放部周囲を廻る縛り索を締めて袋状になった筒状ネットを有する折りたたみゴミ収集容器。
【請求項３】
請求項１または請求項２の発明において楕円リングの最大の直径を軸として相対する楕円リング上の２点に可倒に接続された、両接続点を結ぶ直線の長さが可変の弾性を持つゴミ収集容器の蓋フレームと蓋フレームに取り付けられた蓋カバーからなる蓋で、楕円リングの最大の直径と円柱の中心軸とがなす角度が直角に近い状態で楕円リングの曲線に合致し、若しくは楕円リングよりも外側に位置する大きさの蓋フレームが、楕円リングの最大の直径と円柱の中心軸とがなす角度が小さい時に楕円リングと共に円柱外側面に沿って、蓋フレームに取り付けられたカバーの内側に請求項２の筒状ネットを収容できる蓋を有する事を特徴とする折りたたみゴミ収集容器。
【発明の詳細な説明】
【技術分野】
【０００１】  本発明は電柱や照明柱に取り付けが可能で、組立て折りたたみが簡単でゴミを入れ易くゴミの排出が容易な折りたたみゴミ収集容器に関する。
【背景技術】
【０００２】  家庭や企業から出されたゴミは決められたゴミ収集場所に無造作に置かれていた。【０００３】  従来は蓋付のポリバケツにゴミを入れて収集した。【０００４】  従来はカラス対策として、ゴミ収集場所のゴミにネットをかけていた。【０００５】  前面部、背面部、両側面部、蓋部で構成される固定式の箱において上部の蓋を開けてゴミを投入する固定式ゴミ箱があった。【０００６】  折りたたみ式のゴミ箱としては折りたたみ式のフレーム枠にネットを取り付けた物や、折りたたみ式のパネルで構成される物があった。【０００７】  折りたたみ式ゴミ箱は主に、箱体を構成する各面を折りたたむ方式だった。
【先行技術文献】
【特許文献】
【０００８】
【特許文献１】特許公開２００１−１２２４０１折りたたみ式ごみ袋集積ネットＢＯＸ
【特許文献２】特許公開２００１−３４００２ごみ収集用箱
【特許文献３】特許公開２００３−１１８８０７ごみ収集ボックス
【特許文献４】特許公開２００４−５１３６４ゴミ収集箱
【特許文献５】特許公開２００４−３１５２２２折りたたみ式ゴミ集積箱
【特許文献６】特許公開２００７−２６１８０６折りたたみ集積用ゴミ箱
【特許文献７】特許公開平１１−３２２００１ごみ収集体
【特許文献８】特許公開２００８−１９０９８ネットごみ集積装置
【特許文献９】実新公開平７−３１７０１ごみ収集用ボックス
【特許文献１０】実新公開平５−４２２０１折り畳み式ゴミ箱
【発明の概要】
【発明が解決しようとする課題】
【０００９】  無造作に集積されたゴミは横に広がり、通行の妨げになり乱雑に放置されて見苦しかった。【００１０】  それらのゴミはカラスに中身を散らかされて不衛生かつ街の美観を損なうばかりでなく、跡片付けが大変だった。【００１１】  ゴミをポリバケツに入れて出す方法はポリバケツの中身が見えず、またゴミを回収した後にポリバケツを持ちかえらなくてはならず、２度足を運ばなければならなかった。【００１２】  集積されたゴミにネットをかける方法でゴミを集積する際は、ネットをめくり上げてゴミを集積した後、再びネットを掛けなければならなかった。また使用後にネットを畳むのは面倒だった。【００１３】  固定式のゴミ箱は使わないときはスペースを取って邪魔になった。【００１４】  折りたたみのパイプフレームにネットを張ったゴミ箱は使わないときに折りたたんでコンパクトに収まるが組立にコツが必要だった。【００１５】  前面部を引いて展開し押しながら両側面部を折りたたむ方式のゴミ箱は、力の弱い者にとっては取り扱いが大変だった。【００１６】  上部蓋を開けてゴミを入れ出しするゴミ箱は排出時に屈んでゴミを取り出さなくてはならず、収集者にとっても手間が掛った。【００１７】  折りたたみ式のゴミ箱は収納時には自立が出来ないので、背面側に塀やフェンスが無い場所での設置が難しく、自立させるには地面に固定する基礎が必要だった。【００１８】  歩道上の車道側にゴミ箱を設置する場合、ゴミ投入しやすいように上蓋が歩道側に開くようになっており、車道に収集車両を停車して車道側から中のゴミを取り出すには蓋が邪魔になり使い難かった。
【課題を解決するための手段】
【００１９】  上記を課題解決するために、本発明請求項１の折りたたみ式ゴミ集積容器のフレームは直径が可変の弾性を持つ楕円リングと、楕円リングの内側にある円柱において、楕円リングの最大の直径がその円弧内側と交わる一方の点で、円柱の接線方向の軸を有する支点を介して楕円リングは円柱に上下に回動可能に接続されて、楕円リングの最大の直径と円柱の中心軸とがなす角度が小さい時、楕円リングの内側が円柱の外側面に沿い、楕円リングの最大の直径と円柱の中心軸とがなす角度が直角に近付くにつれて、楕円リングの最大の直径が短くなる事を特徴とする。【００２０】  また本発明請求項２の折りたたみ式ゴミ収集容器は、請求項１の発明の楕円リングに一方の開放部周囲が取り付けられ、他方の開放部周囲を廻る縛り索を締めて袋状になる筒状ネットをゴミ集積時には縛り索を締めて袋状を形成し、ゴミ排出時には縛り索を緩めて袋状部分を大きく開放できる事を特徴とする。【００２１】  本発明請求項３の折りたたみ式ゴミ収集容器は、請求項１または請求項２の発明において楕円リングの最大の直径を軸として相対する楕円リング上の２点に可倒に接続された、両接続点を結ぶ直線の長さが可変の弾性を持つゴミ収集容器の蓋フレームと蓋フレームに取り付けられた蓋カバーからなる蓋で、楕円リングの最大の直径と円柱の中心軸とがなす角度が直角に近い状態で楕円リングの曲線に合致し、若しくは楕円リングよりも外側に位置する大きさの蓋フレームが、楕円リングの最大の直径と円柱の中心軸とがなす角度が小さい時に楕円リングと共に円柱外側面に沿って、蓋フレームに取り付けられたカバーの内側に請求項２の筒状ネットを収容できる蓋を有する事を特徴とする。
【発明の効果】
【００２２】  以上説明したように、本発明の請求項１、２及び３記載の発明は電柱や照明柱などの円柱に取り付けられた折りたたみゴミ収集容器の楕円リングのフレームと、一方の開放部周囲がフレームに取り付けられ他方の開放部周囲に廻らされた縛り索を締めて袋状を形成する筒状ネットと、フレームに取り付けられた蓋からなり、当該折りたたみゴミ収集容器はネット袋内にゴミを集積するのでゴミが大きく広がらず、カラスがネットからはみ出たゴミを散らかすことが無い。またゴミを捨てるときもネットを捲り上げ再びネットを被せる手間が省けるゴミ収集容器を提供できる。【００２３】  本発明のうち請求項１、２及び３記載の発明は非使用時には折りたたみ状態の蓋部分に袋状ネットを収納できるので、かさばらず見栄えも良いゴミ収集容器を提供できる。【００２４】  本発明のうち請求項１及び２記載の発明は折りたたみ状態からフレーム先端を持ち上げるだけで展開状態になるので取り扱いが簡単なゴミ収集容器を提供できる。【００２５】  本発明のうち請求項１及び２記載の発明は集積されたゴミを排出するときは袋状ネットの下部の縛り索を緩めるだけで袋状ネット下部を大きく開く事ができるのでゴミの排出が簡単で早くできるゴミ収集容器を提供できる。【００２６】  本発明のうち請求項１、２及び３記載の発明はほとんどの場合に設置は街中に多く存在する既存の電柱や照明柱などを利用できるので経済的で、普及しやすいゴミ収集容器を提供できる。
【図面の簡単な説明】
【００２７】
【図１】  本発明の実施例のゴミ収集容器のフレームの展開状態の図
【図２】  本発明の実施例のゴミ収集容器のフレームの折りたたみ状態の図
【図３】  本発明の実施例のゴミ収集容器のフレームの展開状態の背面図
【図４】  本発明の実施例のゴミ収集容器の展開状態のＬ字型断面のストッパーの図
【図５】  本発明の実施例のゴミ収集容器のフレームの展開状態で頬杖を装着した図
【図６】  本発明の実施例のゴミ収集容器の滑り部にプレートを付けて蓋を省略した展開状態の図
【図７】  本発明の縛り索の締めコマ１９の図
【図８】  本発明の縛り索の締めコマ２２の図
【図９】  本発明の実施例のゴミ収集容器のフレームにサブフレームを付けた蓋を省略した展開状態の図
【図１０】  本発明の実施例のゴミ収集容器の展開状態の図
【図１１】  本発明の実施例のゴミ収集容器の折りたたみ状態の図
【図１２】  本発明の実施例のゴミ収集容器に下部が膨らんだ筒状ネットを装着した図
【図１３】  本発明の実施例のゴミ収集容器に分割したフレームを装着し蓋を省略した平面図
【図１４】  本発明の実施例のゴミ収集容器に突起したすべり部を装着し蓋を省略した平面図
【発明を実施するための形態】
【実施例１】
【００２８】  以下本発明の実施形態について説明する。図１に示すように外力が加わると直径を変えることが出来る弾性を持つ楕円リング１と、楕円リング１の最大の直径２が交わる円弧上の一方の点３の内側に円柱４がある。【００２９】  楕円リング１は円柱４の接線方向の回転軸を持つヒンジ５を介して上下に回動可能なように点３部分で円柱４に支持されている。ヒンジ５は円柱４の周囲を廻る帯状のホルダーベルト６に固着され、ホルダーベルト６を締め付る事により、楕円リング１がゴミを投入し易い高さになる位置で円柱４に固定できる。【００３０】  直径２と、円柱４の中心軸７が作る角度が小さくなる図２に示す状態で、楕円リング１は細長になり、その内側が円柱４の外側面に沿う状態を折りたたみ状態とする。楕円リング１のフレームは樹脂等の弾性のある材質で構成される事が好ましい。【００３１】  楕円リング１はヒンジ５よりも上方、下方のどちら側でも円柱４に沿う折りたたみ状態となる事が出来るが、使い勝手が良いヒンジ５よりも下方側で円柱４の外側面に沿う折りたたみ状態にて以降説明する。【００３２】  折りたたみ状態から、楕円リング１の点３に相対する側の部分を持ち上げヒンジ５を中心に楕円リング１を旋回させて、直径２と円柱４の中心軸７が直交する位置になる図１に示す状態を展開状態とする。このとき楕円リング１は地面に平行になることが望ましい。【００３３】  折りたたみ状態から展開状態に移行するときに、楕円リング１の円弧内側で図３に示す点３の両側の滑り部８ａ及び８ｂ部分が円柱４の外側面の滑り部９ａ及び９ｂ部分に接してスライドする。【００３４】  このとき楕円リング１の点３部分がヒンジ５で拘束されているので、スライド中の楕円リング１内側の滑り部８ａ及び８ｂ部分が円柱４の側面の滑り部９ａ及び９ｂ部分に押し広げられて楕円リング１は徐々に幅広になる。【００３５】  図３に示すように楕円リング１は展開状態においてストッパー１０ａとストッパー１０ｂ及びヒンジ５の３点で保持されている。【００３６】  ストッパー１０ａ及び１０ｂの下端は円柱４の側面からなだらかに突起する形状になっており、折りたたみ状態から展開状態に移るときに楕円リング１は広がりながらストッパー１０ａ及び１０ｂを滑り越してストッパー１０ａ及び１０ｂの上側に移動する。【００３７】  広がった楕円リング１はその弾性によりストッパー１０ａ及び１０ｂを超えてストッパー１０ａ及び１０ｂの上面に位置する。【００３８】  展開状態の楕円リング１が開きにくいようにストッパー１０ａ及び１０ｂの上面は内側に傾斜している。【００３９】  ストッパー１０ａ及び１０ｂは円柱４の円周に沿ってそれぞれはヒンジ５と反対方向にスライドさせる事が出来る。【００４０】  ストッパー１０ａ及び１０ｂが円柱４外側面に沿ってヒンジ５と反対方向にスライドすると、展開状態のストッパー１０ａ及び１０ｂが接している楕円リング１の円弧上の２点を結ぶ弦の長さが、ストッパー１０ａ及び１０ｂの両外側を結ぶ寸法よりも大きくなり、ストッパー１０ａ及び１０ｂは楕円リング１の内側の位置になる。楕円リング１はストッパー１０ａ及び１０ｂの支えが無くなりヒンジ５を中心に下方に先端部を下げて折りたたみ状態���移行する。【００４１】  レバー１１の動きに連動してストッパー１０ａ及び１０ｂがスライド動作するようにすると使いやすい。【００４２】  ストッパー１０ａ及び１０ｂの形状は図４に示すようなＬ字型の断面でも良い。この場合はストッパー１０ａ及び１０ｂはスライドしなくてよい。楕円リング１を展開状態から折りたたみ状態にするには、楕円リング１を少し持ち上げて点３に相対する側の円弧部分に点３方向に力を加えながら下げると、楕円リング１はストッパー１０ａ及び１０ｂの両外側を結ぶ長さより横に広がり、ストッパー１０ａ及び１０ｂの外側をかわしてヒンジ５を中心に下方に先端部を下げて折りたたみ状態に移行する。
【実施例２】
【００４３】  展開状態の楕円リング１を保持する方法としては、図５に示すように円柱４の側面に一方の支点があり他方を楕円リング１に回動可能な支点となる頬杖１２を複数個設けることにより展開状態を保つことができる。頬杖１２は楕円リング１に対して左右に必要だが、Ｖ字型の頬杖１２を用いて、その頂部を止めるとストッパーは一カ所で足りる。【００４４】  たとえば展開状態において頬杖１２は楕円リング１に一方の端を他方の端を円柱４外側面よりなだらかに突起する上向きのＬ形型状のストッパー１３に支持され楕円リング１はヒンジ５と頬杖１２により保持される。折りたたみ状態から展開状態に移るときに頬杖１２の一方の端がストッパー１３を滑り越してストッパー１３の上側に移る。Ｖ字型の頬杖１２においてはその頂部がストッパー１３を滑り越してストッパー１３の上側に乗る。【００４５】  楕円リング１を展開状態から折りたたみ状態にするには、楕円リング１を少し持ち上げて、頬杖１２をストッパー１３から外して下げると、楕円リング１はヒンジ５を中心に下方に先端部を下げて折りたたみ状態に移行する。【００４６】  図６に示すように滑り部８ａ及び８ｂ部分と滑り部９ａ及び９ｂ部分にはそれぞれ摩擦抵抗の少ない金属や樹脂からなるプレート１４ａ及び１４ｂと１５ａ及び１５ｂを取り付けると動作がスムーズになり、滑り部の磨り減りの保護にもなる。
【実施例３】
【００４７】  筒状ネット１６の一方の開放部周囲は楕円リング１に取り付けられ、筒状ネット１６の他方には開放部周囲を廻る縛り索１８があり、筒状ネット１６は地面に届く以上の長さを持つ。ゴミ集積時には図６に示すように楕円リング１を展開状態にし、縛り索１８を締めて筒状ネット１６を袋状に形成して、楕円リング１の上面側からゴミを投入する。【００４８】  筒状ネット１６は楕円リング１に接続する側の開放部周囲を筒状にして、そこに楕円リング１のフレームを通して留めたり、索を用いて取り付けたり若しくは筒状ネット１６の開放部周囲を留め具を用いて楕円リング１に取り付けてもよい。【００４９】  筒状ネット１６を楕円リング１に取り付けるその他の方法として、図７に示すように楕円リング１に筒状ネット１６を取り付けるサブフレームのフックバー１７を設けると、楕円リング１が筒状ネット１６を間接的に保持する事ができる。【００５０】  ゴミを取り出す際には縛り索１８を解くことにより、筒状ネット１６の袋状部が大きく開き、ゴミを容易に排出する事が出来る。【００５１】  縛り索１８を締め付ける方法として縛り索１８どおしを結んでもよいが、図８に示すような締めコマ１９を用いると簡単に締めたり解いたり出来る。締めコマ１９の一方の口から縛り索１８が入りもう一方の口から出た縛り索１８を引き、締めコマ１９の両側面のＶ字の切れ込みにそれぞれの縛り索１８を食い込ませて縛り索１８を留めることが出来る。【００５２】  縛り索１８を解くときには締めコマ１９のＶ字の切れ込みから食い込んだ縛り索１８を外すと縛り索１８を緩めることが出来る。【００５３】  また、図９に示すような一方の端が回転可能に筒２０に接続された、縛り索１８との接触部に縛り索１８を押さえる突起を有する止めバー２１を倒して留める締めコマ２２を用いることも可能で、締めコマ２２の一方の口から縛り索１８が入りもう一方の口から出た縛り索１８を引き、止めバー２１を倒して縛り索１８を留めることが出来る。【００５４】  縛り索１８を解くときには締めコマ２２の止めバー２１起こすと縛り索１８を緩めることが出来る。
【実施例４】
【００５５】  カラスによるゴミの飛散を防ぐための蓋の構成は図１０に示すとおり、展開状態の楕円リング１の直径２を軸として相対する楕円リング上の点で、ヒンジ２４ａ及び２４ｂを介して弾性を持つ蓋フレーム２３が可倒に取り付けられている。【００５６】  蓋フレーム２３は楕円リング１の曲線に合致し、かつヒンジ２４ａ及び２４ｂを結ぶ直線の長さが可変になるような弾性を持つ。【００５７】  蓋フレーム２３には蓋カバー２５が取り付けられている。蓋カバー２５はネットやシート状の柔軟な材質を用いる事が望ましい。【００５８】  蓋フレーム２３は楕円リング１よりも大きくして楕円リング１の外側に位置するようにすると、楕円リング１の変形や曲線の誤差が生じても蓋２６が筒状ネット１８の開放部を覆う事が出来る。【００５９】  蓋フレーム２３と蓋カバー２５からなる蓋２６は展開状態において自重で閉まっているので、ゴミを投入するときは蓋２６を持ち上げてゴミを入れる。【００６０】  蓋２６は展開状態から折りたたみ状態に移るときに楕円リング１とともに下降して円柱４の外側面に沿う。この時に筒状ネット１６下部に取り付けられた手繰り索２７を引いて筒状ネット１６を手繰り寄せて、図１１に示すように折りたたみ状態で蓋カバー２５の内側に筒状ネット１６を収納するとコンパクトで、非使用時の見栄えも良い。【００６１】  この蓋カバー２５に意匠的な表示をすると、メッセージを広く訴求することが出来る。【００６２】  蓋フレーム２３は頂部付近で分割し、ヒンジ２８で接続すると、展開状態では楕円リング１と同様な曲線になり、折たたみ状態において円柱４の外側面に添うことが容易である。【００６３】  蓋２６は折りたたみ状態では自重により下向きの状態を保つことが可能であるが、蓋フレーム２３に設けた頂部フック２９を楕円リング１に引っ掛けると、蓋カバー２５に筒状ネット１６を収納した際に蓋２６を外側に開く力が加わっても、楕円リング１から蓋２６が離れて開かない。
【実施例５】
【００６４】  筒状ネット１６の径は必ずしも楕円リング１の形状に合致させる必要は無く、むしろ楕円リング１よりも大きくして筒状ネット１６の開放部周囲をたるませて楕円リング１に取り付けるとゴミの収容量を増やす事が出来る。または図１２に示すように筒状ネット１６の下部を必要に応じて膨らませると、さらにゴミの収容量を増やす事が出来る。
【実施例６】
【００６５】  円柱４は社会インフラに多く点在する電柱や照明柱などの柱を利用すると、経済的に当該ゴミ収集容器を設置する事が出来るが、それらの柱が無い場所では専用の円柱を自立させてもよい。
【実施例７】
【００６６】  楕円リング１のサイズに比べて円柱４の径が細い場合は図１３に示すようにストッパー１０ａ及び１０ｂの上面の円柱４からの長さを大きくすると、円柱４の表面から離れた位置でも楕円リング１を支えられ、展開状態を保つことが出来る。
【実施例８】
【００６７】  楕円リング１は必ずしも一体のリングの必要は無く、図１３に示すようにヒンジ５と接続する接続部分３０と筒状ネット１６を留めるフレーム部分３１に分割してジョイント構成してもよい。またフレーム部分３１もヒンジ３２を介して分割構成してもよい。このように弾性リング１はその部分の目的に応じた材質で分割構成する事が出来る。
【実施例９】
【００６８】  楕円リング１は円弧を構成する断面の厚みなどを部分的に変えて、弾性を部分的に調整し折りたたみ状態と展開状態の動作に最適な曲線を作る事が出来る。
【実施例１０】
【００６９】  楕円リング１が展開状態になる部分で接する円柱４のすべり部９ａおよび９ｂを図１４に示すようになだらかに突起させて、楕円リング１の押し広げを大きくすると幅広の楕円リングを形成できる。
【符号の説明】
【００７０】  １    楕円リング
２    楕円リング１の最大の直径
３    直径２と楕円リング１の交点
４    円柱
５    ヒンジ
６    ホルダーベルト
７    円柱４の中心軸
８ａ  楕円リング１の滑り部
８ｂ  楕円リング１の滑り部
９ａ  円柱４の滑り部
９ｂ  円柱４の滑り部
１０ａ  ストッパー
１０ｂ  ストッパー
１１    レバー
１２    頬杖
１３    ストッパー
１４ａ  プレート
１４ｂ  プレート
１５ａ  プレート
１５ｂ  プレート
１６    筒状ネット
１７    フックバー
１８    縛り索
１９    締めコマ
２０    筒
２１    止めバー
２２    締めコマ
２３    蓋フレーム
２４ａ  ヒンジ
２４ｂ  ヒンジ
２５    蓋カバー
２６    蓋
２７    手繰り索
２８    ヒンジ
２９    フック
３０    接続部分
３１    フレーム部分
３２    ヒンジ
【図１】
2011016653.tif 000003
【図２】
2011016653.tif 000004
【図３】
2011016653.tif 000005
【図４】
2011016653.tif 000006
【図５】
2011016653.tif 000007
【図６】
2011016653.tif 000008
【図７】
2011016653.tif 000009
【図８】
2011016653.tif 000010
【図９】
2011016653.tif 000011
【図１０】
2011016653.tif 000012
【図１１】
2011016653.tif 000013
【図１２】
2011016653.tif 000014
【図１３】
2011016653.tif 000015
【図１４】
2011016653.tif 000016